(57)【要約】  【課題】  異なる種類の電池を共用する電子機器において、同一端部に正負各極端子を備える電池の電極間距離の余裕度を向上させて、使用可能な電池の制約を緩和する。  【解決手段】  電子機器の電池収容室３１は、一端側に、リチウム電池Ｂ１の同一端部に設けられた正負各極端子と、２個を並置した単三乾電池Ｂ２の各負極端子とをそれぞれ弾性的に接触可能な第３、第４の電極端子を備えた共用電極端子部２１を有し、他端側に、並置した単三乾電池Ｂ２の各正極端子と弾性的に接触する第１、第２の電極端子を備え、電池収容室３１の底部に対して起伏自在な乾電池電極端子部３３を有する構成である。第１の電極端子は、電源制御回路に接続され、第２、第３の電極端子は共通接続されて、リチウム電池Ｂ１の装着時には導通し、単三乾電池Ｂ２の装着時には非導通となる電池切換えスイッチを介して電源制御回路に接続され、第４の電極端子は接地される。【選択図】  図１
2005251567.tif 000002
【特許請求の範囲】
【請求項１】
異なる種類の電池からの電力供給が可能な被給電部を有する電子機器において、
同一端部に正極端子と負極端子を備える第１の種類の電池と、対向する端部の一方に正極端子、他方の端部に負極端子を備える第２の種類の電池とが互換的に装着される電池収容室と、
前記電池収容室の一方の端部に配置された第１の電極端子及び第２の電極端子と、
前記電池収容室の前記一方の端部に対向する他方の端部に配置された第３の電極端子及び第４の電極端子と、
前記第１の種類の電池又は前記第２の種類の電池の装着に応じて切換えられる電池切換えスイッチと、を備え、
前記第１の電極端子は、前記被給電部に接続され、
前記第２の電極端子と前記第３の電極端子は、共通に接続されるとともに、前記電池切換えスイッチを介して前記被給電部に接続され、
前記第４の電極端子は、接地され、
前記第１の種類の電池の装着時、前記第１の種類の電池の正極端子は前記第３の電極端子に接触するとともに、前記第１の種類の電池の負極端子は前記第４の電極端子に接触し、
前記第２の種類の電池の装着時、前記第２の種類の第１の電池の正極端子は前記第１の電極端子に接触するとともに、その負極端子は前記第３の電極端子に接触し、前記第２の種類の第２の電池の正極端子は前記第２の電極端子に接触するとともに、その負極端子は前記第４の電極端子に接触し、
前記電池切換えスイッチは、前記第１の種類の電池の装着時には、前記第２の電極端子と前記第３の電極端子と前記被給電部を導通状態とし、前記第２の種類の電池の装着時には、前記第２の電極端子と前記第３の電極端子と前記被給電部を非導通状態とする電子機器。
【請求項２】
前記第１の電極端子及び前記第２の電極端子は、前記電池収容室内部に回動可能である請求項１記載の電子機器。
【請求項３】
前記第１の電極端子及び前記第２の電極端子は、それぞれの端子を配線基板に接続するばね部材を介して前記被給電部に接続される請求項１又は２記載の電子機器。
【請求項４】
前記電池切換えスイッチは、前記第１の電極端子及び前記第２の電極端子の回動に応じて動作するスイッチである請求項２又は３記載の電子機器。
【請求項５】
前記電池切換えスイッチは、入力電圧が所定値以上の場合に導通するスイッチである請求項１ないし３のいずれか１項記載の電子機器。
【請求項６】
前記第１の種類の電池は、リチウム二次電池であり、前記第２の種類の電池は、乾電池である請求項１ないし５のいずれか１項記載の電子機器。
【発明の詳細な説明】
【技術分野】
【０００１】
本発明は、形状、サイズ、電極配置等が異なる異種電池を互換的に装着して電源として共用することが可能な電子機器に関する。
【背景技術】
【０００２】
可搬型の電子機器では、充電により繰り返し使用が可能なリチウム電池等の二次電池が広く用いられているが、使用中に電池切れを起こした際に直ちに充電できない場合に備えて、容易に入手可能な乾電池を互換的に装着して使用できるようにすることが望まれている。
【０００３】
従来、このような異なる種類の電池を互換的に装着して使用するために、例えば図１３（ａ）、（ｂ）に示すような電池収容室を備えた電子機器が提案されている。この従来例では、電池から電力供給を受けて作動する被給電部を備えた電子機器本体６１に連設された電池収容室６２において、電極の配置がそれぞれ異なる乾電池Ｂ２１及びリチウム電池Ｂ２２の同一極、例えば負極と接続される電極端子を１つの電極端子６３で共用し、各電池の正極と接続される電極端子として個別の電極端子６４、６５を備える構成となっている（例えば、特許文献１）。
【０００４】
【特許文献１】特開２００４−３０９６８号公報
【発明の開示】
【発明が解決しようとする課題】
【０００５】
しかしながら、上記従来例の電子機器にあっては、電池収容室６２に乾電池Ｂ２１を２個並置した際の電極間距離とリチウム電池Ｂ２２の電極間距離とが異なっているので、リチウム電池Ｂ２２の正極と接続するための専用の電極端子６５を、２個並置した乾電池Ｂ２１の正極及び負極の各々と接続する電極端子６３、６４の間に設ける必要がある。このため、リチウム電池の電極間距離に余裕度が少なくなり、２個並置した乾電池Ｂ２１の正極及び負極の各極間の距離に応じてリチウム電池の電極間距離を決定する必要があり、使用可能なリチウム電池に制約があるという事情があった。また、リチウム電池Ｂ２２の外形サイズは、乾電池Ｂ２１を２個並置した大きさで制限され、限られたスペースにおけるリチウム電池の高容量化が困難であった。
【０００６】
本発明は、上記事情に鑑みてなされたもので、異なる種類の電池からの電力供給が可能な被給電部を有する電子機器において、同一端部に正極端子と負極端子を備える構造の電池における電極間距離の余裕度を向上させて、使用可能な電池の制約を緩和することのできる電子機器を提供することを目的とする。
【課題を解決するための手段】
【０００７】
本発明の電子機器は、異なる種類の電池からの電力供給が可能な被給電部を有する電子機器において、同一端部に正極端子と負極端子を備える第１の種類の電池と、対向する端部の一方に正極端子、他方の端部に負極端子を備える第２の種類の電池とが互換的に装着される電池収容室と、前記電池収容室の一方の端部に配置された第１の電極端子及び第２の電極端子と、前記電池収容室の前記一方の端部に対向する他方の端部に配置された第３の電極端子及び第４の電極端子と、前記第１の種類の電池又は前記第２の種類の電池の装着に応じて切換えられる電池切換えスイッチと、を備え、前記第１の電極端子は、前記被給電部に接続され、前記第２の電極端子と前記第３の電極端子は、共通に接続されるとともに、前記電池切換えスイッチを介して前記被給電部に接続され、前記第４の電極端子は、接地され、前記第１の種類の電池の装着時、前記第１の種類の電池の正極端子は前記第３の電極端子に接触するとともに、前記第１の種類の電池の負極端子は前記第４の電極端子に接触し、前記第２の種類の電池の装着時、前記第２の種類の第１の電池の正極端子は前記第１の電極端子に接触するとともに、その負極端子は前記第３の電極端子に接触し、前記第２の種類の第２の電池の正極端子は前記第２の電極端子に接触するとともに、その負極端子は前記第４の電極端子に接触し、前記電池切換えスイッチは、前記第１の種類の電池の装着時には、前記第２の電極端子と前記第３の電極端子と前記被給電部を導通状態とし、前記第２の種類の電池の装着時には、前記第２の電極端子と前記第３の電極端子と前記被給電部を非導通状態とするものである。
【０００８】
この構成により、第１の種類の電池の電極間距離の余裕度が向上し、使用可能な電池の制約を緩和することができる。
【０００９】
また、本発明の一態様として、上記の電子機器において、前記第１の電極端子及び前記第２の電極端子は、前記電池収容室内部に回動可能であるものも含まれる。
【００１０】
この構成により、外形サイズの大きな第１の種類の電池の使用することが可能となり、限られたスペースにおける電池の高容量化を図ることができる。
【００１１】
また、本発明の一態様として、上記の電子機器において、前記第１の電極端子及び前記第２の電極端子は、それぞれの端子を配線基板に接続するばね部材を介して前記被給電部に接続されるものも含まれる。
【００１２】
この構成により、第１及び第２の各電極端子と電子機器の配線基板との接続が容易になり、組立性が向上する。
【００１３】
また、本発明の一態様として、上記の電子機器において、前記電池切換えスイッチは、前記第１の電極端子及び前記第２の電極端子の回動に応じて動作するスイッチであるものも含まれる。
【００１４】
この構成により、第３及び第４の各電極端子を第１の種類の電池及び第２の種類の電池で共用することができ、使用する電池の種類に応じて被給電部に確実に電力を供給することが可能となる。
【００１５】
また、本発明の一態様として、上記の電子機器において、前記電池切換えスイッチは、入力電圧が所定値以上の場合に導通するスイッチであるものも含まれる。
【００１６】
この構成により、第３及び第４の各電極端子を第１の種類の電池及び第２の種類の電池で共用することができ、使用する電池の種類に応じて被給電部に確実に電力を供給することが可能となる。
【００１７】
また、本発明の一態様として、上記の電子機器において、前記第１の種類の電池は、リチウム二次電池であり、前記第２の種類の電池は、乾電池であるものも含まれる。
【００１８】
この構成により、リチウム二次電池と乾電池とを共用可能とした構成において、リチウム二次電池の電極間距離の余裕度が向上し、使用可能なリチウム二次電池の制約を緩和することができるとともに、外形サイズの大きなリチウム二次電池の使用することが可能となり、限られたスペースにおけるリチウム二次電池の高容量化を図ることができる。
【発明の効果】
【００１９】
本発明によれば、異なる種類の電池からの電力供給が可能な被給電部を有する電子機器において、同一端部に正極端子と負極端子を備える構造の電池における電極間距離の余裕度を向上させて、使用可能な電池の制約を緩和することができる電子機器を提供することが可能となる。
【発明を実施するための最良の形態】
【００２０】
本発明の実施形態では、異なる種類の電池からの電力供給が可能な被給電部を有する電子機器の一例として、物流、生産管理、ＰＯＳ等の各システムにおいて、物品に印刷又は貼付されたラベルのバーコードを読みとるための可搬型のバーコードリーダに適用した構成を例示する。
【００２１】
図１は、本発明の実施形態に係るバーコードリーダの概略構成を示す分解斜視図である。バーコードリーダは、キー操作部を含む上ケース１と、バーコード読取部、バーコード認識処理部及び制御部等を備えるメイン基板２と、電池収容室を備える下ケース３とを有して構成される。メイン基板２は、上ケース１と下ケース３とを合体させた際に内部に収納される構造である。
【００２２】
本実施形態のバーコードリーダでは、電源供給用に、第２の種類の電池の一例に相当する一次電池である単三乾電池Ｂ２と、第１の種類の電池の一例に相当する二次電池である公称電圧が３．７Ｖのリチウム電池Ｂ１とを使用可能となっている。そして、円柱状の２個の単三乾電池Ｂ２と、径方向に並置したこれら単三乾電池Ｂ２とほぼ同じ幅を有し、直方体状の同一端部に電極端子４を備えた１個のリチウム電池Ｂ１とを共用する。
【００２３】
メイン基板２には、リチウム電池Ｂ１の正負各極端子又は２個を並置した場合の単三乾電池Ｂ２の各負極端子とそれぞれ弾性的に接触可能な後述する電極端子ＣＮ３、ＣＮ４を備えた共用電極端子部２１と、並置した２個の単三乾電池Ｂ２の各正極端子と弾性的に接触する後述の電極端子ＣＮ１、ＣＮ２を接続するための２個の板ばね接点２２とが半田付けされて設けられる。
【００２４】
下ケース３は、電池収容室３１と電池カバー３２とを有して構成される。また、電池収容室３１には、２個を並置した際の単三乾電池Ｂ２の各正極端子に弾性的に接触する後述の電極端子ＣＮ１、ＣＮ２を備えた乾電池電極端子部３３が取り付けられる。
【００２５】
次に、電池収容室３１の構造について、図２〜図５を参照しながら詳細に説明する。
図２は、電池収容室３１の構成を示す斜視図である。電池収容室３１は、樹脂成形によって上方が開放された箱状に形成され、リチウム電池Ｂ１の幅方向の側面にほぼ係合する間隔で対向して配置された一対の側壁３４ａ、３４ｂと、単三乾電池Ｂ２の円柱部分の一部と係合する凹部３６が形成された底部３５とが設けられる。
【００２６】
図３、図４は、電池収容室３１に乾電池電極端子部３３を取り付ける際の状態を示す斜視図である。乾電池電極端子部３３の両側端に突出して設けられた軸部３７ａ、３７ｂを側壁３４ａ、３４ｂに穿たれた穴３８ａ、３８ｂにそれぞれ嵌合させる。これにより、乾電池電極端子部３３における後述する電極端子ＣＮ１、ＣＮ２は、底部３５から突出する板ばね接点２２と弾性的に係合して接続される。
【００２７】
図５は、電池収容室３１に取り付けた乾電池電極端子部３３の起伏状態を示す斜視図である。上記のようにして電池収容室３１に取り付けられた乾電池電極端子部３３は、軸部３７ａ、３７ｂを支点にして回動し、底部３５に対して起伏自在となる。
【００２８】
図６は、乾電池電極端子部３３の詳細な構成を示す分解斜視図である。乾電池電極端子部３３は、接続端子ホルダ３９と電極端子ＣＮ１、ＣＮ２とを有する構成である。接続端子ホルダ３９は、樹脂成形によって形成され、電極端子ＣＮ１、ＣＮ２を挿入する溝４０と電極端子ＣＮ１、ＣＮ２を係止するための爪４１とが設けられる。また、電極端子ＣＮ１、ＣＮ２は、りん青銅や洋白等の弾性を有する銅合金線状材による渦巻きばねからなり、一端に逆Ｌ字状の係止部４２が形成される。
【００２９】
図７及び図８は、乾電池電極端子部３３の組立状態を示す図であり、図７は、電極端子ＣＮ１、ＣＮ２を接続端子ホルダ３９に挿入した場合の斜視図、図８は、この乾電池電極端子部３３を３方向から見た平面図である。図７、図８に示すように、電極端子ＣＮ１、ＣＮ２の係止部４２は爪４１に係止して接続端子ホルダ３９に固定される。
【００３０】
次に、以上のように構成された電池収容室３１において、リチウム電池Ｂ１及び単三乾電池Ｂ２をそれぞれ装着した状態について、図９（ａ）〜（ｃ）及び図１０（ａ）、（ｂ）を用いて説明する。
【００３１】
図９（ａ）は、リチウム電池を装着する前の状態を示す電池収容室３１の断面図である。乾電池電極端子部３３は底部３５に倒伏している。図９（ｂ）は、リチウム電池Ｂ１を装着した状態を示す電池収容室３１の断面図である。略直方体のリチウム電池Ｂ１は、電池収容室３１の空間に収納され、正極及び負極の各電極端子が共用電極端子部２１の電極端子ＣＮ３、ＣＮ４にそれぞれ弾性的に付勢された状態で接触して保持される。このとき、リチウム電池Ｂ１の図中下側の面は底部３５の上面と当接して高さ方向の位置が規制され、一般的に乾電池よりも薄い形状のリチウム電池Ｂ１の高さが調整される。
【００３２】
図９（ｃ）は、単三乾電池Ｂ２を装着した状態を示す電池収容室３１の断面図である。略円柱状の単三乾電池Ｂ２は、電池収容室３１の空間において、底部３５の凹部に収納されて位置決めされるとともに、各正極端子が起立した乾電池電極端子部３３の電極端子ＣＮ１、ＣＮ２と弾性的に付勢された状態で接触し、負極端子が共用電極端子部２１の電極端子ＣＮ３、ＣＮ４に弾性的に付勢された状態で接触して保持される。このとき、単三乾電池Ｂ２の外周面は底部３５の凹部の円弧状面と当接し、幅方向及び高さ方向の位置が規制される。
【００３３】
図１０（ａ）は、リチウム電池Ｂ１を装着した状態を示す電池収容室３１の開口部上方から見た平面図である。リチウム電池Ｂ１は、電池収容室３１の空間に収納され、側壁３４ａ、３４ｂによって幅方向の位置が規制されるとともに、正極及び負極の各電極端子が共用電極端子部２１の電極端子ＣＮ３、ＣＮ４に弾性的に付勢された状態で接触して保持される。
【００３４】
図１０（ｂ）は、２個の単三乾電池Ｂ２を並置して装着した状態を示す電池収容室３１の開口部上方から見た平面図である。単三乾電池Ｂ２は、電池収容室３１の凹部に収納され、各正極端子が起立した乾電池電極端子部３３の電極端子ＣＮ１、ＣＮ２と弾性的に付勢された状態で接触し、負極端子が共用電極端子部２１の電極端子ＣＮ３、ＣＮ４に弾性的に付勢された状態で接触して保持される。なおここで、共用電極端子部２１の電極端子ＣＮ３、ＣＮ４は、リチウム電池Ｂ１を接続する際の電極間距離と、並置した２つの単三乾電池Ｂ２を接続する際の電極間距離とが必ずしも同一ではなく、異なるような構成とすることも可能である。
【００３５】
図１１は、本実施形態のバーコードリーダにおいてリチウム電池Ｂ１を装着した場合の電気的構成を示すブロック図、図１２は、本実施形態のバーコードリーダにおいて単三乾電池Ｂ２を装着した場合の電気的構成を示すブロック図である。
【００３６】
このバーコードリーダでは、単三乾電池Ｂ２の正極を接続する電極端子ＣＮ１、ＣＮ２と、電極端子ＣＮ２と共通接続されて単三乾電池Ｂ２の負極及びリチウム電池Ｂ１の正極を接続する電極端子ＣＮ３と、接地されて単三乾電池Ｂ２の負極及びリチウム電池Ｂ１の負極を接続する電極端子ＣＮ４とを有している。また、共通接続された電極端子ＣＮ２、ＣＮ３に接続されて各電池の電圧を検出し、検出した電圧が所定値、例えば３Ｖ以上の場合に導通する電池切換えスイッチ５０と、電極端子ＣＮ１及び電池切換えスイッチ５０にアノードがそれぞれ接続され、カソードが共通接続された電池電流の逆流防止用ダイオードＤ１、Ｄ２と、ダイオードＤ１、Ｄ２の共通接続されたカソードに接続される電源制御回路５１とを有している。さらに、バーコード読取、認識等の各処理及び装置各部の制御を行うためのＣＰＵ５２と、バーコード読取結果等を表示する表示装置５３と、各種データや動作プログラム等を記憶するフラッシュＲＯＭ５４及びＲＡＭ５５とを備えている。なお、電源制御回路５１、ＣＰＵ５２、表示装置５３、フラッシュＲＯＭ５４及びＲＡＭ５５は、メイン基板２に搭載される。
【００３７】
次に、上記のように構成されたバーコードリーダ本体に対するリチウム電池Ｂ１及び単三乾電池Ｂ２による電力の供給動作について説明する。
【００３８】
まず、図１１に示す構成のように、リチウム電池Ｂ１を使用する場合は、電極端子ＣＮ３に接続されたリチウム電池Ｂ１の正極の電圧を電池切換えスイッチ５０で検出する。リチウム電池Ｂ１の公称電圧は３．７Ｖであり、予め定めた所定値３Ｖを超えるのでスイッチを導通させる。これにより、ダイオードＤ２を介して電源制御回路５１に電源電圧３．７Ｖが供給される。
【００３９】
一方、図１２に示す構成のように、単三乾電池Ｂ２を使用する場合は、電極端子ＣＮ２に接続された単三乾電池Ｂ２の正極及び電極端子ＣＮ３に接続された負極の電圧を電池切換えスイッチ５０で検出する。電池切換えスイッチ５０には単三乾電池１個分の電圧１．５Ｖが印加されることになり、所定値３Ｖ以下であるのでスイッチを非導通状態にする。従って、直列に接続された単三乾電池Ｂ２の電極端子ＣＮ１から電圧３Ｖが、ダイオードＤ１を介して電源制御回路５１に供給される。
【００４０】
以上説明したように、本発明の実施形態では、リチウム電池及び乾電池からの電力供給が可能な電源制御回路を有するバーコードリーダにおいて、電池収容室３１は、上方が開放された箱状からなり、一端側に、リチウム電池Ｂ１の同一端部に設けられた正負各極端子と、２個を並置した際の単三乾電池Ｂ２の各負極端子とをそれぞれ弾性的に接触可能な電極端子ＣＮ３、ＣＮ４を備えた共用電極端子部２１を有し、他端側に、並置する単三乾電池Ｂ２の各正極端子と弾性的に接触する電極端子ＣＮ１、ＣＮ２を備え、電池収容室３１の底部３５に対して起伏自在な乾電池電極端子部３３を有する構成としている。ここで、電極端子ＣＮ１は、電源制御回路５１に接続され、電極端子ＣＮ２、ＣＮ３は共通接続されて、リチウム電池Ｂ１の装着時には導通し、単三乾電池Ｂ２の装着時には非導通となる電池切換えスイッチ５０を介して電源制御回路５１に接続され、電極端子ＣＮ４は接地される。
【００４１】
このように、電池収容室３１において、２つの単三乾電池Ｂ２の負極側の電極を隣り合うように揃え、リチウム電池Ｂ１の端子側に配置する構造とすることによって、リチウム電池Ｂ１の同一端部に設けられた正負各極端子における電極間距離（端子間寸法）の余裕度が向上し、使用可能な電池の制約を緩和することができる。また、単三乾電池Ｂ２の正極側に設ける乾電池電極端子部３３を可動とすることによって、リチウム電池Ｂ１の長さを大きくとることができ、任意の大きさのものを利用可能となる。さらに、乾電池電極端子部３３を電池収容室３１の底部側に回動可能とし、リチウム電池Ｂ１の使用時に乾電池電極端子部３３を底部３５に倒伏させることにより、単三乾電池Ｂ２の長さよりも長いリチウム電池Ｂ１の利用も可能となる。このように外形サイズの大きなリチウム電池の使用が可能となり、電池収容室３１の限られたスペースにおける電池の高容量化を図ることができる。さらに、乾電池電極端子部３３は、メイン基板２に半田付けされた板ばね接点２２に弾性的に係合することにより、電気的な接続が容易となり、組立性が向上する。
【００４２】
なお、本実施形態における上記の説明では、電極端子の導通、非導通を制御するための電池切換えスイッチ５０を共通接続された電極端子ＣＮ２、ＣＮ３に接続し、この電池切換えスイッチ５０によって、電極端子ＣＮ２、ＣＮ３に接続された電池の電圧を検出し、検出値に応じて導通又は非導通を制御するようにしたが、他の変形例も考えられる。例えば、リチウム電池Ｂ１及び単三乾電池Ｂ２のそれぞれの装着時に、倒伏又は起立する乾電池電極端子部３３の状態に連動して、導通又は非導通となるスイッチを設ける構成であってもよい。
【００４３】
このように、本実施形態によれば、リチウム電池と乾電池など、異なる種類の電池からの電力供給が可能な被給電部を有する電子機器において、リチウム電池などの同一端部に正極端子と負極端子を備える構造の電池における電極間距離の余裕度を向上させて、使用可能な電池の制約を緩和することができる。また、乾電池用の電極端子を可動とすることで、リチウム電池などを用いる場合に外形サイズの大きな電池の使用を可能とし、限られたスペースにおける電池の高容量化を図ることができる。
【産業上の利用可能性】
【００４４】
本発明は、異なる種類の電池からの電力供給が可能な被給電部を有する電子機器において、同一端部に正極端子と負極端子を備える構造の電池における電極間距離の余裕度を向上させて、使用可能な電池の制約を緩和することができるという効果を有し、形状、サイズ、電極配置等が異なる異種電池を互換的に装着して電源として共用することが可能な電子機器等に有用である。
【図面の簡単な説明】
【００４５】
【図１】本発明の実施形態に係るバーコードリーダの概略構成を示す分解斜視図
【図２】本実施形態に係る電池収容室の構成を示す斜視図
【図３】本実施形態に係る電池収容室に乾電池電極端子部を取り付ける際の状態を示す斜視図
【図４】本実施形態に係る電池収容室に乾電池電極端子部を取り付ける際の状態を示す斜視図
【図５】本実施形態に係る電池収容室に取り付けた乾電池電極端子部の起伏状態を示す斜視図
【図６】本実施形態に係る乾電池電極端子部の詳細な構成を示す分解斜視図
【図７】本実施形態に係る乾電池電極端子部の組立状態を示す斜視図
【図８】本実施形態に係る乾電池電極端子部の組立状態を示す平面図
【図９】（ａ）本発明の実施形態に係る電池収容室にリチウム電池を装着する前の状態を示す断面図、（ｂ）本発明の実施形態に係る電池収容室にリチウム電池を装着した状態を示す断面図、（ｃ）本発明の実施形態に係る電池収容室に単三乾電池を装着した状態を示す断面図
【図１０】（ａ）本発明の実施形態に係る電池収容室にリチウム電池を装着した状態を示す平面図、（ｂ）本発明の実施形態に係る電池収容室に単三乾電池を装着した状態を示す平面図
【図１１】本実施形態のバーコードリーダにおいてリチウム電池を装着した場合の電気的構成を示すブロック図
【図１２】本実施形態のバーコードリーダにおいて単三乾電池を装着した場合の電気的構成を示すブロック図
【図１３】（ａ）従来例の電池収容室における乾電池の装着状態を示す図、（ｂ）従来例の電池収容室におけるリチウム電池の装着状態を示す図
【符号の説明】
【００４６】
Ｂ１  リチウム電池
Ｂ２  乾電池
ＣＮ１〜ＣＮ４  電極端子
２  メイン基板
３  下ケース
２１  共用電極端子部
２２  板ばね接点
３１  電池収容室
３２  電池カバー
３３  乾電池電極端子部
５０  電池切換えスイッチ
５１  電源制御回路
【図１】
2005251567.tif 000003
【図２】
2005251567.tif 000004
【図３】
2005251567.tif 000005
【図４】
2005251567.tif 000006
【図５】
2005251567.tif 000007
【図６】
2005251567.tif 000008
【図７】
2005251567.tif 000009
【図８】
2005251567.tif 000010
【図９】
2005251567.tif 000011
【図１０】
2005251567.tif 000012
【図１１】
2005251567.tif 000013
【図１２】
2005251567.tif 000014
【図１３】
2005251567.tif 000015